(57)【要約】【課題】防水性を確保しつつ、ねじロック機能が低下した場合に竜頭回りの部品交換を可能とした携帯時計を提供することにある。【解決手段】受け部２１ａを有して胴１３にろう付けされた外側巻真パイプ２１に、胴の外側に向かう雄ねじ部２６及び受け部に当たる凸部２５ａを有した内側巻真パイプ２５を出し入れ可能に通すと共に、両巻真パイプにわたって設けられた回り止め手段２４で、パイプ２５をパイプ２１に対して回り止めし、かつ、パイプ２５に取外し可能に螺合する取付けリング３０と凸部２５ａとの間にパイプ２１を挟んでこのパイプに対しパイプ２５を軸方向に位置決めする。竜頭３１をパイプ２５の雄ねじ部２６に取外し可能に螺合する。パイプ２５内に挿入された竜頭の竜頭筒部３３とパイプ２５との間に内側防水パッキン３６を挟むと共に、内外パイプ２１，２５間に外側防水パッキン２９を挟んだことを特徴としている。【選択図】　　図２
2004101288.tif 000002
【特許請求の範囲】
【請求項１】
胴と、
受け部を有して前記胴にろう付けされた外側巻真パイプと、
前記胴の外側に向かう雄ねじ部、及び前記受け部に当たる凸部を有して、前記外側巻真パイプに出し入れ可能に通された内側巻真パイプと、
前記両巻真パイプにわたって設けられ、前記内側巻真パイプを外側巻真パイプに対して周方向に固定する回り止め手段と、
前記内側巻真パイプに取外し可能に螺合され前記凸部との間に前記外側巻真パイプを挟んで前記内側巻真パイプを軸方向に位置決めする取付けリングと、
前記胴の外側から前記内側巻真パイプ内に挿入される竜頭筒部、及び前記雄ねじ部に取外し可能に螺合する雌ねじ部が形成された竜頭主部を有する竜頭と、
前記竜頭筒部と前記内側巻真パイプとの間に挟まれた内側防水パッキンと、
前記内外両巻真パイプ間に挟まれた外側防水パッキンと、
を具備した携帯時計。
【請求項２】
請求項１に記載の携帯時計において、前記回り止め手段が、前記外側巻真パイプの内周に形成された非円形の被嵌部と、前記内側巻真パイプの外周に形成されて前記被嵌部内に嵌入する非円形の嵌入部とで形成されている。
【請求項３】
請求項１又は２に記載の携帯時計において、前記取付けリングが前記雄ねじ部に螺合して前記外側巻真パイプに当接されているとともに、この取付けリングに対し前記竜頭主部が非接触に設けられている。
【請求項４】
請求項１から３の内のいずれか１項に記載の携帯時計において、前記取付けリングが、このリングの回転用操作部を有している。
【発明の詳細な説明】
【０００１】
【発明の属する技術分野】
本発明は、例えばダイバーズウォッチのように高圧防水が求められる携帯時計に関する。
【０００２】
【従来の技術】
ダイバーズウオッチでは、携帯時に竜頭が不用意に動かされないように、ねじの噛合いを利用して竜頭をロックする構造（この構造を本明細書ではねじロックと称する。）が採用されている。
【０００３】
従来のねじロック構造を図６又は図７に示す。これら両図において、符号１は胴、符号２は巻真パイプ、符号３は竜頭を示している。巻真パイプ２に胴１の外側から挿入される竜頭３の竜頭筒部３ａと巻真パイプ２との間には防水パッキン４が挟まれている。図６又は図７中符号５は図示しない時計ムーブメントの本体部から突出された巻真、符号６は巻真５に取付けられたばね座、符号７は竜頭筒部３ａに収容されてばね座６を介して巻真５を付勢するコイルばねを示している。
【０００４】
図６の従来例では、胴１の巻真取付け孔１ａに外側から挿入された巻真パイプ２が、金属のろう材８を用いて固定されることにより、このろう材８で胴１と巻真パイプ２との間の防水を確保している。胴１の外側に突出した巻真パイプ２の端部外周に形成された雄ねじ部２ａには、竜頭３の竜頭主部３ｂに形成した雌ねじ部３ｃが取外し可能に螺合されている。
【０００５】
図７の従来例では、巻真パイプ２の中間部外周に形成した雄ねじ部２ｂを胴１の巻真取付け孔１ａの雌ねじ部１ｂに螺合して、巻真パイプ２が胴１に取付けられているとともに、巻真パイプ２のねじ込みに伴って圧縮される防水パッキン９が、胴１と巻真パイプ２との間に挟まれている。胴１の外側に突出した巻真パイプ２の端部外周に形成された雄ねじ部２ａには、竜頭３の竜頭主部３ｂに形成した雌ねじ部３ｃが取外し可能に螺合されている。
【０００６】
いずれの従来例の構成においても、通常時には、竜頭主部３ｂを雄ねじ部２ａにねじ込んで竜頭３をロックでき、時計ムーブメントを操作する時には、雄ねじ部２ａに対する竜頭３のねじ込みを外してから、この竜頭３を引出して巻真５を回転操作することができる。
【０００７】
また、従来の携帯時計は、リューズの中心穴に弾性部材を挿入した後、一端の外側に斜面を有する弾性リングが周状溝に装着されたリューズ芯を挿入する。この時、リューズの異形内径部よりもリューズ芯に装着されて弾性リングの外形の方が大きくできているが、ツバ部に形成されている斜面と弾性リングの斜面及び男性リングの弾性変形とにより挿入する。また、リューズの中心穴に挿入されたリューズ芯は、ツバ部の内端の内側には斜面がなく弾性リングの他端の外側にも斜面がないことから、弾性リングによりリューズから抜けなくなる（例えば、特許文献１参照。）。
【０００８】
また、従来の携帯時計は、胴の外壁により内部に関する貫通穴に、内端部の内壁にねじ部を形成したパイプが水密的に固着されている。リューズの軸部は、巻真が摺動する摺動穴と、先端部の外壁にパイプのねじ部に螺着されるねじ部と、略中央部の外壁に防水用のパッキングを装着する溝部がそれぞれ形成される。リューズの摺動穴内を摺動し、摺動穴の先端で係合するように巻真を取り付ける。溝部にパッキングを装着したリューズをパイプ内に挿入させる。次に、挿入したリューズを胴の内部方向に押圧した状態で回転操作させると、軸部に形成したねじ部がパイプにねじ部に螺着されリューズはロックされる。（例えば、特許文献２参照。）。
【０００９】
【特許文献１】
実開平７−２６７９２号公報　（第４−５頁、第１図）
【００１０】
【特許文献２】
実開平４−７９２９３号公報　（第３−５頁、第１−２図）
【００１１】
【発明が解決しようとする課題】
ねじロック構造を備える携帯時計では、竜頭３が繰返し回転操作されること等により、竜頭３の雌ねじ部３ｃと巻真パイプ２の雄ねじ部２ａとが摩耗したり、削れたりして、ねじロックの機能が低下することがある。
【００１２】
図６の従来例では、胴１と巻真パイプ２とがろう付けされてこれらの間の防水を確保しているので、巻真パイプ２の胴１からの取外しを伴う竜頭３回りの部品交換ができない。それにより、ねじロック機能が低下した場合に、胴１を含めた時計外装組立の交換を余儀なくされており、その改善が求められている。
【００１３】
図７の従来例では、胴１に巻真パイプ２がねじ込まれているので、原理的には巻真パイプ２を含めた竜頭３回りの部品交換ができる。しかし、この従来例の構成では、竜頭３を巻真パイプ２に螺合させたり、この螺合を外したりするたびに、巻真パイプ２には回転力が作用する．それに伴って巻真パイプ２の胴１へねじ込みが緩んで、防水パッキン９による防水性が低下する可能性がある。この対策として、巻真パイプ２と胴１との螺合部に接着剤を充填することが行われる場合が多い。したがって、図７の従来例においては、巻真パイプ２の胴１からの取外しが至難であるので、実際上は竜頭３回りの部品交換ができない。それにより、ねじロック機能が低下した場合に、胴１を含めた時計外装組立の交換を余儀なくされており、その改善が求められている。
【００１４】
本発明が解決しようとする課題は、防水性を確保しつつ、ねじロック機能が低下した場合に竜頭回りの部品交換を可能とした携帯時計を提供することにある。
【００１５】
【課題を解決するための手段】
前記課題を解決するために、本発明は、受け部を有して胴にろう付けされた外側巻真パイプに、雄ねじ部及び受け部に当たる凸部を有した内側巻真パイプを出し入れ可能に通すとともに、これら両巻真パイプにわたって設けられた回り止め手段で、内側巻真パイプを外側巻真パイプに対して周方向に固定し、かつ、取付けリングを内側巻真パイプに取外し可能に螺合して、このリングと凸部との間に外側巻真パイプを挟んで内側巻真パイプを軸方向に位置決めする。更に、竜頭を内側巻真パイプの雄ねじ部に取外し可能に螺合し、この竜頭の内側巻真パイプ内に挿入される竜頭筒部と内側巻真パイプとの間に内側防水パッキンを挟むとともに、内外両巻真パイプ間に外側防水パッキンを挟んだことを特徴としている。
【００１６】
本発明で、外側巻真パイプの受け部は、外側巻真パイプの一端部を用いることができるが、これに代えて、受け部として外側巻真パイプの内側に突出する部分を設けてもよいとともに、内側巻真パイプの凸部は前記受け部の位置に対応して設ければよい。この発明で、取付けリングが螺合するねじ部は、竜頭が螺合する雄ねじ部を共用しても、又は、竜頭が螺合する雄ねじ部とは別に内側巻真パイプの胴内側端部に設けた取付けリング専用のねじ部であってもよい。したがって、外側巻真パイプに対して内側巻真パイプは、胴の内側又は外側のいずれか一方から組込むことができる。この発明で、回り止め手段としては、実施形態に記載の構成の他、軸方向への滑りを許容するセレーション係合、又は、外側巻真パイプの内面又は内側巻真パイプの外面の一方に設けた１以上のキー溝と、他方に設けられて軸方向への滑りを許容してキー溝に嵌入するキーとの係合を利用する構成であっても差し支えない。
【００１７】
本発明においては、外側巻真パイプと胴とはろう付けされているので、これらの間の防水が確保される。外側巻真パイプとこの内側に通された内側巻真パイプとに挟まれた外側防水パッキンは、両巻真パイプ間の防水をする。内側巻真パイプと竜頭の竜頭筒部とに挟まれた内側防水パッキンは、内側巻真パイプと竜頭筒部との間の防水をする。そして、ろう付けにより胴に一体化された外側巻真パイプに対して内側巻真パイプは回り止め手段で周方向に動かないように回り止めされている。このため、竜頭の回転操作に伴って内側巻真パイプが連れ回りしないことに伴い、この内側巻真パイプを介して外側巻真パイプに対する取付けリングの緩みが規制される。したがって、内外の防水パッキンでの防水機能が損なわれることがなく、竜頭の取付け部での防水性を確保できる。
【００１８】
内側巻真パイプは、これに螺合された取付けリングの締付けによって、このリングと外側巻真パイプの受け部に当接した凸部との間に挟まれて、軸方向の動きを止められている。この状態で、内側巻真パイプからこれに螺合されている取付けリングを外すとともに、内側巻真パイプの雄ねじ部から竜頭の螺合を外すことにより、内側巻真パイプの軸方向の拘束を解くことができる。このため、胴にろう付けされている外側巻真パイプを残して、内側巻真パイプをその凸部がある端部を先頭に引外せる。したがって、雄ねじ部及び雌ねじ部等の摩耗や損傷によるねじロック機能の低下に対して、内側巻真パイプや竜頭等を単独に交換できる。
【００１９】
本発明の好ましい形態では、回り止め手段として、外側巻真パイプの内周に非円形の被嵌部を形成するとともに、この被嵌部内に嵌入する非円形の嵌入部を内側巻真パイプの外周に形成している。この形態において、被嵌部及び嵌入部がなす非円形としては正５角形以上の正多角形状を好適に採用できる。
【００２０】
この形態においては、単純な構造の被嵌部及び嵌入部の嵌合によって、竜頭の回転操作に伴って内側巻真パイプが回らないようにできる。
【００２１】
本発明の好ましい形態では、雄ねじ部に螺合して外側巻真パイプに当接する取付けリングに対し、竜頭主部を非接触に設けている。
【００２２】
この形態においては、竜頭の回転操作に伴って竜頭主部が取付けリングに接して、このリングが緩ませないようにできる。
【００２３】
本発明の好ましい形態では、取付けリングにその回転用の操作部を設けている。この形態においては、取付けリングをその厚み方向や径方向に挟む必要がなく、その操作部に適合する工具を係合させて、内側巻真パイプに螺合された取付けリングを締付けたり緩めたりできる。
【００２４】
【発明の実施の形態】
以下、図１〜図５を参照して本発明の一実施形態を説明する。
【００２５】
図１中符号１１は高圧防水機能を有する携帯時計としてのダイバーズウオッチを示しており、このウオッチ１１は時計外装組立１２内に図示しない時計ムーブメント等を収容している。時計ムーブメントは、小型電池やぜんまいを動力にしたもの、又は自動巻きのもの、若しくはクォーツ発振モジュールにより文字板上で時刻等をデジタル表示するデジタル時計対応のもの、或いはデジタル時計対応のものとそれ以外のものとを併用したもの等のいずれであってもよい。
【００２６】
時計外装組立１２は、環状をなす金属製の胴１３の厚み方向一面に、カバーガラス１４を液密に装着するとともに、胴１３の厚み方向裏面に、金属製等の図示しない裏蓋を液密に装着して形成されている。カバーガラス１４を通して文字板１５などを透視可能である。
【００２７】
図２（Ａ）（Ｂ）に示すように胴１３の一部には、この胴１３を径方向に貫通する円形のパイプ取付け孔１６が開けられている。この取付け孔１６は、孔主部と、この孔主部に連続するとともに同じ軸線を共有する大径孔部とからなる。孔主部は、胴内側、つまり時計外装組立１２の内部に開放している。大径孔部は、孔主部より一回り大きく形成されて、胴外側、つまり時計外装組立１２の外部に開放している。
【００２８】
パイプ取付け孔１６には、孔主部より長い円筒状の金属製外側巻真パイプ２１が胴外側から打込み挿入され、このパイプ２１は金属のろう材２２を介してパイプ取付け孔１６内面にろう付けされている。外側巻真パイプ２１の胴内側の端部は、受け部２１ａをなしていて、この受け部２１ａの内外周には夫々テーパ面が設けられている。外側巻真パイプ２１の胴外側の端部には、径方向外側に張り出すフランジ２１ｂが一体に設けられている。このフランジ２１ｂは大径孔部に収容されている。
【００２９】
ろう材２２は、孔主部及び大径孔部がなす角部と、この角部に対応するフランジ２１ｂの根元部外面との間に全周にわたり充填されている。外側巻真パイプ２１の例えば胴外側寄りの内周には、非円形の被嵌部例えば図３及び図４に示すように正６角形の嵌合孔２３が設けられている。
【００３０】
図２（Ａ）（Ｂ）に示すように外側巻真パイプ２１には、金属で作られた円筒状の内側巻真パイプ２５が例えば胴内側から出し入れ可能に通されている。このパイプ２１の軸方向一端部である胴内側端部には、受け部２１ａに軸方向に沿って当たる凸部２５ａが設けられている。図３に示すように凸部２５ａは径方向外側に張り出すフランジで形成されている。内側巻真パイプ２５の軸方向他端部である胴外側端部２５ｂの外周には、図３及び図５等に示すように雄ねじ部２６が形成されている。この雄ねじ部２６は胴外側に向けて突出される。
【００３１】
雄ねじ部２６に隣接して外側巻真パイプ２１の外周には、非円形の嵌入部例えば図３に示すように正６角形の嵌合凸部２７が一体に突設されている。この嵌合凸部２７は、嵌合孔２３に軸方向に沿って出し入れ可能であり、嵌合孔２３に嵌入された状態では、互いの角部が周方向に引っ掛かるようになっている。嵌合孔２３と嵌合凸部２７により回り止め手段２４が形成されている。
【００３２】
外側巻真パイプ２１の外周には、図３及び図５に示すように嵌合凸部２７に隣接して環状のパッキン取付け溝２８が形成されているとともに、この溝２８に内周部を嵌入させてゴム製の外側防水パッキン２９が取付けられている。環状の防水パッキン２９は、内外両巻真パイプ２１、２５間に圧縮状態に弾性変形して挟まれ、これらパイプ２１、２５間の防水を担っている。この防水パッキン２９は、内側巻真パイプ２５が外側巻真パイプ２１に挿入される際、防水パッキン２９が受け部２１ａの内周テーパ面を通過するに伴って弾性変形を伴って圧縮される。図２（Ａ）（Ｂ）中２点鎖線は変形する前の防水パッキン２９の外周側部分の形を示している。
【００３３】
内側巻真パイプ２５の雄ねじ部２６には内周にねじ溝を有した金属製の取付けリング３０が取外し可能に螺合されている。このリング３０はフランジ２１ｂに重なり接触できる大きさであり、図３に示すように複数例えば一対の操作部３０ａを有している。これらの操作部３０ａは例えば取付けリング３０の外周に開放する切欠きからなるが、これに代えて、厚み方向に貫通する孔としてもよい。取付けリング３０の締付けによって、内側巻真パイプ２５が胴外側に向けて移動されるとともに、この取付けリング３０と凸部２５ａとの間に外側巻真パイプ２１が軸方向に挟持されるようになっている。
【００３４】
図２（Ａ）（Ｂ）中符号３１で示す竜頭は、金属製であって、竜頭主部３２と、この中央部から軸方向に一体に延びる竜頭筒部３３とを有している。竜頭主部３２には、竜頭筒部３３の根元部を囲む環状の逃げ溝３４が設けられているとともに、この溝３４の内面に雌ねじ部３５が形成されている。逃げ溝３４は、内側巻真パイプ２５の雄ねじ部２６が設けられた端部２５ｂが挿入される部分である。雌ねじ部３５は、雄ねじ部２６に取外し可能に螺合して、その螺合により、このウオッチ１１の携帯時に竜頭３１が不用意に動かされないようにねじロックする機能を発揮するものである。
【００３５】
竜頭筒部３３は胴外側から内側巻真パイプ２５に挿入されている。この筒部３３の外周に形成された環状のパッキン取付け溝には、ゴム製の内側防水パッキン３６が取付けられている。環状の防水パッキン３６は、内側巻真パイプ２５と竜頭筒部３３との間に圧縮状態に弾性変形して挟まれ、これらの間の防水を担っている。竜頭筒部３３内には時計ムーブメントの巻真３７が挿入されているとともに、この巻真３７をばね受け３８介して軸方向に付勢するコイルばね３９が収容されている。時計ムーブメントは、図２（Ｂ）に示すようにねじロックが解除された状態で、竜頭３１に連動して回転され、それにより時刻合わせ等が行われるようになっている。
【００３６】
以上の構成を備えるダイバーズウオッチ１１で竜頭回りの組立手順を説明する。まず、胴１３のパイプ取付け孔１６に、胴外側から外側巻真パイプ２１を挿入し、かつ、ろう材２２を用いて固定してから、外周に予め外側防水パッキン２９が嵌め付けられた内側巻真パイプ２５を、胴１３の内側から外側巻真パイプ２１に挿通させる。内側巻真パイプ２５の挿入は、その凸部２５ａが外側巻真パイプ２１の受け部２１ａに当接するまで行われる。この挿入に伴い、外側防水パッキン２９が圧縮状態に弾性変形して内外両巻真パイプ２１、２５間に挟まれるとともに、嵌合凸部２７が嵌合孔２３に内接するように嵌入され、かつ、雄ねじ部２６が形成された端部２５ｂは胴外側に突出される。
【００３７】
次に、雄ねじ部２６に取付けリング３０を、その操作部３０ａに引っ掛かる部分を有した図示しない専用の工具を用いて螺合し締付ける。それにより、取付けリング３０全体が、パイプ取付け孔１６の胴外側の大径孔部内に収容されるとともに、外側巻真パイプ２１のフランジ２１ｂに当接する。このため、固定の外側巻真パイプ２１がその軸方向に沿って凸部２５ａと取付けリング３０とで挟まれる。すなわち、外側巻真パイプ２１に対して内側巻真パイプ２５が軸方向に位置決めして取付けられる。
【００３８】
最後に、予め内側防水パッキン３６が嵌め付けられた竜頭３１の竜頭筒部３３を、これに巻真３７が接続された状態で胴外側から内側巻真パイプ２５内に挿入するとともに、竜頭主部３２の雌ねじ部３５を、内側巻真パイプ２５の雄ねじ部２６に螺合して締付ける。竜頭３１が雄ねじ部２６に最も深くねじ込まれた状態で、図２（Ａ）に示されるように竜頭主部３２は、胴１３の外側面に形成した竜頭当たり面１３ａに当接して位置決めされ、取付けリング３０との間にギャップＧを形成してこのリング３０を覆い隠す。なお、以上の手順の後に、巻真３７と時計ムーブメントとの接続がなされる。
【００３９】
図２（Ａ）に示すダイバーズウオッチ１１の組立状態では、竜頭３１が雄ねじ部２６にかみ合ってロックされているので、携帯中に不用意に竜頭３１が回されて、時刻表示などが変化することを防止できる。時刻合わせ等を行う場合には、図２（Ｂ）に示すように雄ねじ部２６に対する竜頭主部３３のねじ込みを外して、竜頭３１を引出して行うことができる。
【００４０】
こうした雄ねじ部２６に対する竜頭３１の着脱の際、取付けリング３０に対して竜頭主部３２は相対回転される。しかし、取付けリング３０と竜頭主部３２とは非接触であるので、竜頭３１の回転に伴って取付けリング３０が緩むおそれがない。このため、胴１３に一体的に連結された外側巻真パイプ２１に対する内側巻真パイプ２５の適正な取付け状態を維持できる。
【００４１】
図２（Ａ）の状態では以下のように高圧防水機能を発揮しかつ維持できる。すなわち、外側巻真パイプ２１と胴１３との間の防水は、これらをろう付けしたろう材２２により確保できる。外側巻真パイプ２１とこの内側に通された内側巻真パイプ２５との間の防水は、これらに挟まれた外側防水パッキン２９により確保できる。内側巻真パイプ２５と竜頭筒部３３との間の防水は、これらに挟まれた外側防水パッキン３６により確保できる。
【００４２】
このように防水が施された状態では、内側巻真パイプ２５は、ろう付けにより胴１３に一体化された外側巻真パイプ２１に回り止め手段２５で周方向に動かないように回り止めされている。つまり、外側巻真パイプ２１の嵌合孔２３と、これに嵌入して内接された内側巻真パイプ２５の嵌合凸部２７との各角部での係合により、内側巻真パイプ２５が固定の外側巻真パイプ２１に支持されているので、竜頭３１の回転操作に伴って内側巻真パイプ２５が連れ回りすることがない。それにより、回り止め手段２４を介して外側巻真パイプ２１に波及する回転力に拘らず、胴１３にろう付けされている外側巻真パイプ２１が回されることがない。したがって、外側巻真パイプ２１に対する取付けリング３０の締付けが緩まないように規制できる。しかも、既述のように回転操作される竜頭３１が取付けリング３０に接してこのリング３０が緩ませることもない。
【００４３】
以上により前記ろう材２２及び両防水パッキン２９、３０による防水機能が維持されて、竜頭３１の取付け部での防水性を確保できる。
【００４４】
前記雄ねじ部２６及び雌ねじ部３５の損傷や摩耗等により竜頭３１のねじロック機能が低下した場合に、本実施形態のダイバーズウオッチ１１は以下のように対処できる。
【００４５】
まず、巻真３７と竜頭筒部３３との接続を外してから、雄ねじ部２６への竜頭３１のねじ込みを解除して、この竜頭３１を胴外側に引き外し、取付けリング３０を露出させる。この状態で、胴外側から取付けリング３０の操作部３０ａに図示しない専用の工具を引っ掛けて、この工具を介して取付けリング３０を緩み方向に回転させて、雄ねじ部２６から取外す。
【００４６】
これにより、内側巻真パイプ２５の外側巻真パイプ２１に対する胴外側の拘束が解放されるため、内側巻真パイプ２５を胴１３の内側に引抜くことができる。この場合、内側巻真パイプ２５は外側防水パッキン２９による引抜き抵抗を受けるだけであるので、容易に引抜くことができる。
【００４７】
以上の手順で竜頭３１の取付け構造を分解できるので、内側巻真パイプ２５、竜頭３１、及び取付けリング３０等のうち少なくとも内側巻真パイプ２５を交換することができる。なお、組立は既述の順手で行えばよい。それにより、修理の依頼者にとっては、ねじロック機能の低下に対して、時計外装組立１２の交換を余儀なくされることなく、部品交換で対応することが可能となるので、費用負担を少なくできる。
【００４８】
【発明の効果】
本発明によれば、外側巻真パイプと胴との間、内外両巻真パイプ間、及び内側巻真パイプと竜頭の竜頭筒部の間の防水を、ろう付け又は防水パッキンで行うとともに、内側巻真パイプを外側巻真パイプに固定する取付けリングが竜頭の回転操作に伴って緩まないように、このリングが螺合された内側巻真パイプを、胴にろう付けされた外側巻真パイプに対して回り止めして防水機能を維持したので、竜頭の取付け部での防水性を確保できる。そして、内側巻真パイプに螺合された取付けリングを外すことで、内側巻真パイプを外側巻真パイプから引出せるので、竜頭のねじロック機能が低下した場合には、時計外装組立の交換を要することなく、内側巻真パイプや竜頭等を交換して対応できる。すなわち、本発明によれば、防水性を確保しつつ、ねじロック機能が低下した場合に竜頭回りの部品交換が可能な携帯時計を提供できる。
【００４９】
単純な構造の被嵌部及び嵌入部の嵌合によって、竜頭の回転操作に拘らず、内側巻真パイプを回り止めできるようにした発明によれば、防水性を維持可能な携帯時計を提供できる。
【００５０】
内側巻真パイプに螺合された取付けリングが竜頭と接して、この竜頭の回転操作で緩まないようにした発明によれば、防水性を維持可能な携帯時計を提供できる。
【００５１】
取付けリングが回転用操作部を有する発明によれば、内側巻真パイプに取付けリングを螺合して締付けたり緩めたりする作業がし易い携帯時計を提供できる。
【図面の簡単な説明】
【図１】本発明の一実施形態に係るダイバーズウオッチを示す正面図。
【図２】（Ａ）は竜頭がねじロックされた状態で図１中Ｆ２−Ｆ２線に沿って示す断面図。（Ｂ）は竜頭のねじロックが外された状態で図１中Ｆ２−Ｆ２線に沿って示す断面図。
【図３】図１のダイバーズウオッチが備える内外の巻真パイプと取付けリングとの関係を分解して示す斜視図。
【図４】図１のダイバーズウオッチが備える外側巻真パイプを示す断面図。
【図５】図１のダイバーズウオッチが備える内側巻真パイプを示す断面図。
【図６】従来例に係るダイバーズウオッチの竜頭回りの構成を示す断面図。
【図７】他の従来例に係るダイバーズウオッチの竜頭回りの構成を示す断面図。
【符号の説明】
１１　…ダイバーズウオッチ（携帯時計）
１２　…時計外装組立
１３　…胴
１６　…パイプ取付け孔
２１　…外側巻真パイプ
２１ａ…受け部
２１ｂ…フランジ
２２　…ろう材
２３　…回り止め手段の嵌合孔（被嵌合部）
２４　…回り止め手段
２５　…内側巻真パイプ
２５ａ…凸部
２６　…雄ねじ部
２７　…回り止め手段の嵌合凸部（嵌入部）
２９　…外側防水パッキン
３０　…取付けリング
３０ａ…操作部
３１　…竜頭
３２　…竜頭主部
３３　…竜頭筒部
３５　…雌ねじ部
３６　…内側防水パッキン
【図１】
2004101288.tif 000003
【図２】
2004101288.tif 000004
【図３】
2004101288.tif 000005
【図４】
2004101288.tif 000006
【図５】
2004101288.tif 000007
【図６】
2004101288.tif 000008
【図７】
2004101288.tif 000009